(57)【要約】【課題】印刷ウェブなどを安定して裁断できる印刷機用シータの回転刃を提供する。【解決手段】印刷機用シータの回転刃１０は、印刷ウェブ２０上を搬送方向と同方向に回転し、印刷ウェブ２０と直交する方向で印刷ウェブ２０を裁断するナイフ２４を備えている。ナイフ２４には、刃先２４ｂの裏側に印刷ウェブ２０の先端部を叩いて搬送方向に押し出す巻上げ防止手段となる片２６を設けてある。またナイフ２４の刃先２４ｂの裏側に印刷ウェブを滑らせて搬送方向に押し出す滑性層３４を設けてもよい。【選択図】図１
0003118218.tif 000002
【実用新案登録請求の範囲】
【請求項１】
裁断した印刷ウェブを搬送方向に押し出す巻上げ防止手段を刃先の裏側に設けたことを特徴とする印刷機用シータの回転刃。
【請求項２】
前記巻上げ防止手段は、断面くの字形状の片であって一方の面を前記刃先の裏側に沿って設置し、他方の面を前記刃先から離間するように傾けて突出させてあることを特徴とする請求項１記載の印刷機用シータの回転刃。
【請求項３】
前記巻上げ防止手段は、前記刃先の長手方向の両端に設けたことを特徴とする請求項１または２に記載の印刷機用シータの回転刃。
【請求項４】
前記巻上げ防止手段は、滑性層であること特徴とする請求項１記載の印刷機用シータの回転刃。
【請求項５】
前記滑性層は、フッ素樹脂を含有することを特徴とする請求項４記載の印刷機用シータの回転刃。
【考案の詳細な説明】
【技術分野】
【０００１】
本考案は、特に印刷ウェブまたは給紙ロールから繰り出されたウェブを所定の長さに裁断する印刷機用シータの回転刃に関する。
【背景技術】
【０００２】
図５は従来の印刷機用シータの構成概略を示すブロック図である。図示のように印刷機用シータ１００は、印刷機１０２から搬送される印刷ウェブ１０１を所定の長さに裁断するカット部１０４と、枚葉状態のカット紙（シート）を搬送する高速搬送部１０６および低速搬送部１０８と、裁断したカット紙を積層するスタック部１１０とを備えている。
【０００３】
カット部１０４は、前段の印刷機１０２で印刷された印刷ウェブ１０１を搬送経路上で所定の長さに裁断する。図６は従来の印刷機用シータの回転刃の裁断時の動作説明図である。図７は従来の印刷機用シータの回転刃の裁断後の動作説明図である。図６に示すようにカット部１０４には、印刷ウェブ１０１の搬送経路を挟んで回転刃１２０と固定刃１４０とが対向するように形成してある。固定刃１４０は搬送経路の下側に刃先を上方に向けて固定してある。回転刃１２０は図６（１）に示すように搬送する印刷ウェブの上側であって、印刷ウェブ１０１の搬送方向Ａと直交する方向に回転軸を形成し、搬送方向Ａと同方向Ｂに回転している。そして図６（２）に示すように回転刃１２０の外周部に１箇所または複数個突出して形成したナイフ１２２が下方の固定刃１４０の刃先と剪断する位置１４２で印刷ウェブをカットすることができる。高速搬送部１０６は、上部高速搬送手段１０６ａと下部高速搬送手段１０６ｂとからなり、最終段のスタック部１１０までの搬送経路の前段に設けられている。高速搬送部１０６は後段の低速搬送部１０８で紙を重ねる際のタイミングをとるために印刷速度よりも僅かながら早い速度でカット紙を搬送している。低速搬送部１０８は、後段のスタック部１１０へ枚葉状態のカット紙を積層させるために搬送速度を積層に影響しない速度まで低下させている。スタック部１１０は、低速搬送部から順次搬送されるカット紙を積層させている（例えば特許文献１に示す）。
【特許文献１】特開２００１−３４１９３１号公報
【考案の開示】
【考案が解決しようとする課題】
【０００４】
ところで印刷機用シータに搬送される印刷ウェブは、保湿液などにより僅かながら湿った状態となる。一例としてシリコン液を用いた場合、湿った印刷ウェブの通し枚数が多くなると、刃先の裏側に付着したシリコン液が次第に乾燥してシリコンの塊となり、印刷ウェブが付着しやすくなる。また印刷ウェブは多くのガイドロールを経由してカット部に搬送されてくるため帯電してしまう。このため搬送される印刷ウェブは静電気を帯びた状態となり、刃先に付着しやすくなる。
【０００５】
そうすると図６（２）に示す固定刃と回転刃とが噛合う位置において、例えば印刷ウェブを裁断した後、湿った印刷ウェブあるいは静電気を帯びた印刷ウェブは回転刃のナイフの先端に付着し、付着したまま図７（１）に示すように回転刃の回転とともに上方に捲れ上がる。そして図７（２）に示すように後段の高速搬送部の入側のベルトコンベアに流れる際にまっすぐ入らなかったり、紙の先端が折れ曲がったりしてしまう。これにより先端部が折れ曲がったカット紙がスタック部に供給されたり、高速搬送部の入側で連続供給されるカット紙によって紙詰まり（ジャミング）が連鎖的に発生したりしてしまう。このように一旦紙詰まりが発生すると、印刷機用シータを停止させなければならず、搬送部からカット紙を取り除くのに作業員の手間がかかるとともに、再度通常の印刷機の稼動に移行するためには点検・整備の時間がかかり、印刷設備の稼動時間を長期化できないという問題が生じていた。
上記従来技術の問題を改善するため本考案は、印刷ウェブまたは給紙ロールを安定して裁断できる印刷機用シータの回転刃を提供することを目的としている。
【課題を解決するための手段】
【０００６】
本考案に係る印刷機用シータの回転刃は、裁断した印刷ウェブの先端部を搬送方向に押し出す巻上げ防止手段を刃先の裏側に設けたことを特徴としている。
この場合において、前記巻上げ防止手段は、断面くの字形状の片であって一方の面を前記刃先の裏側に沿って設置し、他方の面を前記刃先から離間するように傾けて突出させてあるとよい。また前記巻上げ防止手段は、前記刃先の長手方向の両端に設けてあるとよい。前記巻上げ防止手段は、滑性層であるとよい。前記滑性層は、フッ素樹脂を含有しているとよい。
【考案の効果】
【０００７】
上記構成による本考案によれば、印刷機から搬送された印刷ウェブが保湿液で湿ったり、あるいは静電気を帯びた状態であっても、裁断した後、印刷ウェブが回転刃の刃先に付着するのを防止して搬送方向に押し出し、回転刃の回転に伴う印刷ウェブの巻き上げを防止することができる。このため後段の高速搬送部の入口において、カット紙先端の紙折れ、または複数のカット紙が連続供給されることによって発生するジャミング等を防止することができる。また印刷ウェブが薄紙であっても高速でカット紙を後段の搬送部に連続供給することができる。さらに紙詰まりによる印刷機の停止や、その後の調整によってロスしていた印刷機の稼動時間の長期化を図ることができる。
【考案を実施するための最良の形態】
【０００８】
本考案に係る印刷機用シータの回転刃の実施形態を添付の図面に従って以下詳細に説明する。図１は実施形態に係る印刷機用シータの回転刃の構成概略を示す図である。図２は実施形態に係る回転刃のナイフの説明図である。
【０００９】
実施形態に係る印刷機用シータの回転刃１０は、ドローローラ１２と、高速搬送部１４のガイドローラ１４ａ，１４ｂとの間のカット部１６に設置している。また回転刃１０は、印刷ウェブ２０の搬送経路を挟んで、搬送経路の下方に形成した固定刃２２と対向する位置に設置している。回転刃１０は、搬送方向Ａと直交する方向に回転軸を設けて、搬送方向（矢印Ａ）と同方向（矢印Ｂ）に回転している。そして回転刃１０の外周部１０ａにはナイフ２４の取り付け部１０ｂを本実施形態では１箇所設けてある。あるいは回転刃１０の外周部に複数設けてもよい。
【００１０】
ナイフ２４は、図２に示すように長手方向の長さがウェブの搬送方向と交差する幅と略同じ長さに設定した断面矩形の鋼板である。ナイフ２４は、断面矩形の短辺の長手方向に回転刃１０の取り付け側２４ａを形成し、取り付け側２４ａと対向する反対側に一部を斜めに切り欠いた鋭角状の刃先２４ｂを形成している。またナイフ２４の断面矩形の長辺の長手方向の面には回転刃１０の取り付け部１０ｂの取り付けボルト１０ｃが貫通して、ナイフ２４の取り付け位置を調整可能な楕円形の調整孔２４ｃを複数並べて開口してある。印刷ウェブ上を回転するナイフ２４の刃先２４ｂと、印刷ウェブ２０の下側に固定した固定刃２２の刃先は、回転するナイフ２４の刃先２４ｂと固定刃２２の刃先とを噛合わせて剪断するように、それぞれ位置調整している。
【００１１】
ナイフ２４の刃先２４ｂの裏側には巻上げ防止手段を設けてある。本実施形態に係る巻上げ防止手段は、矩形の薄板の片２６であって断面くの字形状に折り曲げて形成してある。片２６の材質には、例えば合成樹脂、または厚紙などを用いることができる。片２６の一方の面２６ａはナイフ２４裏側に設け、他方の面２６ｂは刃先２４ｂから離間するように傾けて突出させてある。また片２６は、ナイフ２４の長手方向の両端に設けてある。もちろん長手方向の全域に設けることもできる。
また固定刃２２と高速搬送部１４との間には、ウェブガイド２８を設置し、裁断した後の印刷ウェブ２０が高速搬送部の入側へ案内される。
【００１２】
上記のごとく構成した本考案において、まず印刷機で印刷された印刷ウェブが複数のガイドロールを介して印刷機用シータに搬送される。図３は実施形態に係る印刷機用シータの回転刃の動作説明図である。図３（１）に示すように搬送された印刷ウェブ２０は、カット部１６の手前に配置されたドローローラ１２によってカット部１６に導入される。印刷ウェブ２０は搬送経路を挟んで上下に形成したカット部１６の回転刃１０と固定刃２２の間に導入される。そして所定の長さに裁断できるように回転速度が調整された回転刃１０のナイフ２４の刃先２４ｂが回転して固定刃２２の刃先と噛合う位置３２に来たとき、印刷ウェブ２０が裁断される。このとき裁断した印刷ウェブ２０の先端は、シリコン液で湿った状態あるいは静電気を帯びた状態でありナイフ２４の刃先に付着し、回転刃１０の回転に伴って僅かに巻き上げられる。巻き上がられた印刷ウェブは、図３（２）に示すようにナイフ２４の裏側に設けた片２６によって印刷ウェブ２０の先端部を叩かれて、ナイフ２４の刃先から引き剥がされ搬送方向に押し出される。そして図３（３）に示すように、ナイフ２４の裏側に形成した片２６によって搬送方向に押し出された印刷ウェブ２０は、ウェブガイド２８によって印刷ウェブ２０の先端部が高速搬送部１４の入側に案内される。このようにナイフ２４の刃先２４ｂに付着した印刷ウェブ２０は、刃先２４ｂの裏側に設けた片２６によって叩かれて引き剥がされるため、高速搬送部の入側にまっすぐ案内され、カット紙３０の折れ曲がり、またはジャミングを防止することができる。
【００１３】
図４は実施形態に係る回転刃のナイフの変形例を示す図である。図示のようにナイフ２４の鋭角な先端の裏側の傾斜面２４ｄには巻上げ防止手段となる滑性層３４を形成してある。滑性層３４は、滑り性があり滑らかで摩擦係数の小さい層で形成してあり、例えばフッ素樹脂などを含有しているとよい。本実施形態ではフッ素樹脂を含有するテープを用い、傾斜面２４ｄに貼付して容易に形成している。なお滑性層３４は傾斜面２４ｄの両端部に形成するように構成することもできる。また本実施形態に係る滑性層３４は、裁断する印刷ウェブの厚みを考慮して刃先２４ｂと僅かな隙間を開けて貼付している。これまでナイフ２４の裏側に付着したシリコン液が乾燥して塊となり、この塊が大きくなって印刷ウェブの付着が発生していたが、滑性層３４を形成することにより、湿った印刷ウェブが刃先の裏側を滑って搬送方向に押し出される。このため印刷ウェブが刃先に付着することを防止できる。なお滑性層３４はテープのほかに、コーティングなどによって形成することもできる。
【図面の簡単な説明】
【００１４】
【図１】実施形態に係る印刷機用シータの回転刃の構成概略を示す図である。
【図２】実施形態に係る回転刃のナイフの説明図である。
【図３】実施形態に係る印刷機用シータの回転刃の動作説明図である。
【図４】実施形態に係る回転刃のナイフの変形例を示す図である。
【図５】従来の印刷機用シータの構成概略を示すブロック図である。
【図６】従来の印刷機用シータの回転刃の裁断時の動作説明図である。
【図７】従来の印刷機用シータの回転刃の裁断後の動作説明図である。
【符号の説明】
【００１５】
１０………印刷機用シータの回転刃、１２………ドローローラ、１４………高速搬送部、１６………カット部、２０………印刷ウェブ、２２………固定刃、２４………ナイフ、２６………片、２８………ウェブガイド、３０………カット紙、３４………滑性層、１００………印刷機用シータ、１０１………印刷ウェブ、１０２………印刷機、１０４………カット部、１０６………高速搬送部、１０８………低速搬送部、１１０………スタック部、１２０………回転刃、１４０………固定刃。
【図１】
0003118218.tif 000003
【図２】
0003118218.tif 000004
【図３】
0003118218.tif 000005
【図４】
0003118218.tif 000006
【図５】
0003118218.tif 000007
【図６】
0003118218.tif 000008
【図７】
0003118218.tif 000009